(57)【特許請求の範囲】
【請求項１】
複数の積層コンデンサユニットが一体化された積層コンデンサであって、
セラミック焼結体と、
前記セラミック焼結体に構成された複数の積層コンデンサユニットとを備え、
各積層コンデンサユニットが、セラミック層を介して厚み方向に重なり合うように配置されており、かつセラミック焼結体側面に引き出されている引き出し部を有する複数の内部電極と、セラミック焼結体の側面に形成された第１の外部電極及び第２の外部電極とを有し、かつ
複数の前記積層コンデンサユニットがセラミック焼結体内において厚み方向に積層されており、かつ各積層コンデンサユニットにおいて、一方の電位に接続される内部電極に接続される第１の外部電極と、前記内部電極と対向する他方の電位に接続される内部電極に接続された第２の外部電極とが前記セラミック焼結体の同一側面上において隣接して配置されており、４個の第１の外部電極及び４個の第２の外部電極が設けられており、
前記一方の電位に接続される内部電極の引き出し部がセラミック焼結体側面に露出している部分と、同一側面上において他方の電位に接続される内部電極の引き出し部の該側面上に露出している部分とにより構成される露出部分組の高さ位置が、前記セラミック焼結体を平面視した際の全側面を周回する方向に沿って変化するようにセラミック焼結体の複数の側面に前記露出部分組が配置されていることを特徴とする、積層コンデンサ。
【請求項２】
前記各積層コンデンサユニットの複数の内部電極が、セラミック焼結体のある高さ位置の平面において、前記引き出し部を除いて周縁にギャップ領域を残すように、ほぼ全面電極の形態で形成されている、請求項１に記載の積層コンデンサ。
【発明の詳細な説明】
【０００１】
【発明の属する技術分野】
本発明は、複数の積層コンデンサユニットが一体化されている積層コンデンサに関し、より詳細には、複数の積層コンデンサユニットの一体化方法が改良された積層コンデンサに関する。
【０００２】
【従来の技術】
従来、電子部品の高密度実装に対応するために、複数のコンデンサユニットを一体化してなる積層コンデンサが種々提案されている。この種の積層コンデンサの一例を、図１３及び図１４を参照して説明する。
【０００３】
図１３は、従来の積層コンデンサにおいて、外部電極を取り除いた状態を示す斜視図である。
積層コンデンサ５１では、誘電体セラミックスよりなるセラミック焼結体５２内に、第１，第２の積層コンデンサユニット５３，５４が構成されている。すなわち、積層コンデンサユニット５３の側方に第２の積層コンデンサユニット５４が配置されている。
【０００４】
積層コンデンサユニット５３，５４の一方電位に接続される複数の内部電極は側面５２ａに引き出されており、他方の電位に接続される複数の内部電極は側面５２ａとは反対側の側面５２ｂに引き出されている。積層コンデンサユニット５３では、一方電位に接続される複数の内部電極が、側面５２ａに形成された外部電極（図示されず）に電気的に接続され、側面５２ｂに引き出された他方電位に接続される内部電極が側面５２ｂ上に形成された外部電極（図示されず）に電気的に接続されている。積層コンデンサユニット５４においても、同様に、側面５２ａ，５２ｂに外部電極が形成される。
【０００５】
図１４（ａ）及び（ｂ）は、それぞれ、積層コンデンサユニット５３，５４の内部電極を説明するための模式的平面断面図である。すなわち、積層コンデンサユニット５３では、一方電位に接続される内部電極５５と他方電位に接続される内部電極５６とがセラミック層を介して積層されている。積層コンデンサユニット５４では、一方電位に接続される内部電極５７と他方電位に接続される内部電極５８とがセラミック層を介して積層されている。
【０００６】
ところで、上記積層コンデンサ５１では、第１，第２の積層コンデンサユニット５３，５４が横方向に並べられている。従って、積層コンデンサユニット５３，５４間で電気的信号が漏洩する、いわゆるクロストークが発生するという問題があった。
【０００７】
そこで、従来、クロストークを低減するために種々の方法が提案されている。例えば、特許文献１では、横方向に並べられた積層コンデンサユニット間にセラミック焼結体の厚み方向に延びるスルーホールを形成し、該スルーホールに導電体を充填することにより隣り合うコンデンサユニット間が静電遮蔽されている。
【０００８】
また、特許文献２では、横方向に並べられた積層コンデンサユニット間にセラミック焼結体の厚み方向に延びる絶縁層が配置され、該絶縁層により隣り合うコンデンサユニット間のクロストークの低減が図られている。
【特許文献１】
特開平７−１６１５６８号公報
【特許文献２】
特開平８−２７３９７９号公報
【０００９】
【発明が解決しようとする課題】
しかしながら、上述した先行技術に記載の積層コンデンサでは、クロストークを抑制するために、横方向に並べられたコンデンサユニット間に導電体や絶縁体を配置しなければならなかった。すなわち、隣り合うコンデンサユニット間に上記導電体や絶縁体を配置する必要があるため、デッドスペースが生じ、内部電極対向面積が小さくならざるを得なかった。そのため、取得静電容量が低下し、小型化が妨げられ、かつ積層コンデンサのコストが高くなるという問題があった。
【００１０】
また、積層コンデンサを得るにあたっては、セラミック積層体を焼成してセラミック焼結体を得るに先立ち、セラミック積層体が厚み方向に加圧される。これは、セラミックグリーンシート同士及びセラミックグリーンシートと内部電極との密着性を高め、セラミック焼結体の緻密化を図るためである。
【００１１】
しかしながら、横方向に複数の積層コンデンサユニットが並べられたセラミック積層体を例えば静水圧プレスすると、上面及び下面に凹凸が生じるという問題があった。すなわち、図１５に断面図で示すように、静水圧プレスされたセラミック積層体５９では、内部電極６０，６１が積層されている部分の厚みが内部電極６０，６１が積層されていない部分の厚みに比べて小さいため、静水圧プレス後に、内部電極６０，６１が積層されていない部分の厚みが薄くなり、積層体５９の上面５９ａ及び下面５９ｂに凹凸が生じがちであった。
【００１２】
上記のような凹凸を避けるには、静水圧プレスに代えて剛体プレスを用いればよいと考えられる。しかしながら、剛体プレスによりセラミック積層体を厚み方向にプレスすると、上面及び下面の凹凸を無くすことはできるものの、内部電極の積層ずれが生じるという問題があった。
【００１３】
本発明の目的は、取得静電容量の増大及び小型化を図ることができ、上面及び下面の凹凸や内部電極の積層ずれが生じ難い、積層コンデンサを提供することにある。
【００１４】
【課題を解決するための手段】
本発明は、複数の積層コンデンサユニットが一体化された積層コンデンサであって、セラミック焼結体と、前記セラミック焼結体に構成された複数の積層コンデンサユニットとを備え、各積層コンデンサユニットが、セラミック層を介して厚み方向に重なり合うように配置されており、かつセラミック焼結体側面に引き出されている引き出し部を有する複数の内部電極と、セラミック焼結体の側面に形成された第１の外部電極及び第２の外部電極とを有し、かつ複数の前記積層コンデンサユニットがセラミック焼結体内において厚み方向に積層されており、かつ各積層コンデンサユニットにおいて、一方の電位に接続される内部電極に接続される第１の外部電極と、前記内部電極と対向する他方の電位に接続される内部電極に接続された第２の外部電極とが前記セラミック焼結体の同一側面上において隣接して配置されており、４個の第１の外部電極及び４個の第２の外部電極が設けられており、前記一方の電位に接続される内部電極の引き出し部がセラミック焼結体側面に露出している部分と、同一側面上において他方の電位に接続される内部電極の引き出し部の該側面上に露出している部分とにより構成される露出部分組の高さ位置が、前記セラミック焼結体を平面視した際の全側面を周回する方向に沿って変化するようにセラミック焼結体の複数の側面に前記露出部分組が配置されていることを特徴とする。
【００１５】
本発明においては、好ましくは、上記各積層コンデンサユニットの複数の内部電極は、セラミック焼結体のある高さ位置の平面において、上記引き出し部を除いて周縁にギャップ領域を残すように、ほぼ全面電極の形態で形成される。
【００１７】
【発明の実施の形態】
以下、図面を参照しつつ本発明の具体的な実施例を説明することにより、本発明を明らかにする。
【００１８】
図１（ａ）は、本参考例に係る積層コンデンサを示す斜視図である。積層コンデンサ１は、直方体状のセラミック焼結体２を用いて構成されている。セラミック焼結体２は、チタン酸バリウム系セラミックスのような適宜の誘電体セラミックスにより構成される。
セラミック焼結体２の内部には、第１〜第４の積層コンデンサユニットが厚み方向に積層されて配置されている。
【００１９】
第１〜第４の積層コンデンサユニットの構造を、図１（ｂ），（ｃ）〜図４を参照して説明する。
第１の積層コンデンサユニットは、図１（ｂ）及び（ｃ）に示す内部電極３，４をセラミック層を介して交互に適宜の枚数積層することにより構成されている。内部電極３は、セラミック焼結体２の側面２ａに引き出されている引き出し部３ａを有する。また、内部電極３は、引き出し部３ａを除いて、周縁にギャップ領域３ｂを残すようにしてほぼ全面電極の形態で形成されている。ここで、全面電極とは、セラミック焼結体２のある高さ位置にある平面において、該平面形状のほぼ全領域を占めるように形成されている電極をいうものとする。もっとも、上記ギャップ領域３ｂを除いて内部電極３が形成されている。
【００２０】
他方、内部電極４は、引き出し部４ａを有する。引き出し部４ａは、セラミック焼結体２の側面２ｂに引き出されている。側面２ｂは、側面２ａと対向されている。
内部電極４についても、ギャップ領域４ｂを残すようにして、ほぼ全面電極の形態で形成されている。
【００２１】
第１のコンデンサユニットでは、上記内部電極３，４がセラミック層を介して厚み方向に交互に積層されており、第１のコンデンサユニットの静電容量は、複数の内部電極３と複数の内部電極４とが対向されている部分で取り出される。
【００２２】
他方、セラミック焼結体２の側面２ａ，２ｂには、それぞれ、第１，第２の外部電極５，６が形成されている。第１の外部電極５は、内部電極３の引き出し部３ａに引き出されており、外部電極６は、複数の内部電極４の引き出し部４ａに電気的に接続されている。
従って、対向し合っている側面２ａ，２ｂに形成された外部電極５，６により、第１の積層コンデンサユニットを外部と電気的に接続することができる。
【００２３】
なお、内部電極３，４を構成する電極材料については特に限定されず、Ａｇ、Ａｇ−Ｐｄ、Ｎｉ、Ｃｕなどの適宜の金属を主成分とするものが用いられる。同様に、外部電極５，６を構成する材料についても特に限定されず、Ａｇ、Ａｇ−Ｐｄ、Ｎｉ、Ｓｎなどの適宜の金属材料を用いることができる。また、外部電極５，６は、複数の金属層を積層することにより構成されてもよい。
【００２４】
第１の積層コンデンサユニットの下方には、第２の積層コンデンサユニットが積層されている。第２の積層コンデンサユニットは、図２（ａ）及び（ｂ）に示す内部電極７，８を厚み方向においてセラミック層を介して交互に適宜の枚数積層することにより構成されている。
【００２５】
内部電極７，８は、電極引き出し部７ａ，８ａの位置を除いては、内部電極３，４と同様に構成されている。すなわち、内部電極７の電極引き出し部７ａは、セラミック焼結体２の側面２ａにおいて、引き出し部３ａが引き出されている部分の側方において引き出されている。同様に、内部電極８の引き出し部８ａは、側面２ｂにおいて、外部電極４の引き出し部４ａの側方において引き出されている。
【００２６】
言い換えれば、内部電極７，８の引き出し部７ａ，８ａは、それぞれ、内部電極３，４の引き出し部３ａ，４ａと厚み方向において重なり合わない位置に引き出されている。
【００２７】
内部電極７，８においても、周囲にギャップ領域７ｂ，８ｂを残すようにして、内部電極７，８がほぼ全面電極の形態で形成されている。
また、内部電極７，８の引き出し部７ａ，８ａに電気的に接続されるように、セラミック焼結体２の側面２ａ，２ｂに、第１，第２の外部電極９，１０が形成されている。
【００２８】
第３の積層コンデンサユニットは、図３（ａ）及び（ｂ）に示す内部電極１１，１２をセラミック層を介して厚み方向に交互に適宜の枚数積層することにより構成されている。内部電極１１，１２は、引き出し部１１ａ，１２ａの引き出し位置が異なることを除いては、内部電極３，４，７，８と同様に構成されている。すなわち、内部電極１１，１２の引き出し部１１ａ，１２ａは、厚み方向において、引き出し部３ａ，７ａまたは引き出し部４ａ，８ａとは重なり合わないように、引き出し部７ａ，８ａを中心として、引き出し部３ａ，４ａとは反対側に配置されている。なお、図３（ａ）及び（ｂ）において、１１ｂ，１２ｂはギャップ領域を示す。
【００２９】
また、第３の積層コンデンサユニットでは、引き出し部１１ａ，１２ａに電気的に接続されるように、側面２ａ，２ｂ上に、第１，第２の外部電極１３，１４が形成されている。
【００３０】
同様に、第４の積層コンデンサユニットは、図４（ａ）及び（ｂ）に示す内部電極１５，１６をセラミック層を介して厚み方向に交互に適宜の枚数積層することにより形成されている。内部電極１５，１６の引き出し部１５ａ，１６ａは、引き出し部３ａ，７ａ，１１ａまたは引き出し部４ａ，８ａ，１２ａと厚み方向に重なり合わないように配置されている。
【００３１】
なお、図４（ａ）及び（ｂ）において、１５ｂ，１６ｂはギャップ領域を示す。第４の積層コンデンサユニットにおいても、外部と電気的に接続するために、第１，第２の外部電極１７，１８が側面２ａ，２ｂを覆うように形成されている。
【００３２】
本参考例の積層コンデンサ１では、上記第１〜第４の積層コンデンサユニットが、上述したようにセラミック焼結体２内において厚み方向に順に積層されている。従って、各積層コンデンサユニットにおける内部電極３，４，７，８，１１，１２，１５，１６は、ギャップ領域を残してほぼ全面電極の形態で形成され得る。よって、各積層コンデンサユニットにおける内部電極対向面積を大きくし得るので、積層コンデンサにおける各積層コンデンサユニットの静電容量の増大及び薄型化を図ることができる。
【００３３】
加えて、各積層コンデンサユニットにおいて、同じ高さ位置には１枚の内部電極のみが存在するので、セラミック焼結体２を得るに先立ち、セラミック積層体を例えば静水圧プレスによりプレスしたとしても、上面及び下面に凹凸が生じ難い。従って、静水圧プレスを用いてセラミック積層体をプレスすることにより、最終的に得られるセラミック焼結体２の緻密化を確実に図ることができ、しかも上面及び下面が平坦なセラミック焼結体２を得ることができる。
【００３４】
本参考例では、内部電極３，４，７，８，１１，１２，１５，１６は、全て電極引き出し部を除いては同じ平面形状及び同じ寸法を有するように構成されている。もっとも、内部電極の平面形状は、同一高さ位置に複数の内部電極が配置されない限り、本参考例の構成に限定されるものではない。すなわち、各積層コンデンサユニットの内部電極の平面形状を必ずしも同一とする必要はない。もっとも、全ての積層コンデンサユニットの内部電極を、電極引き出し部を除いて同じ寸法とすることが望ましい。全ての内部電極を同じ寸法とした場合には、静水圧プレスによりセラミック積層体をプレスした場合、上面及び下面の平坦性をより一層高めることができる。また、剛体プレスを用いた場合には、積層されている内部電極間の積層ずれをより一層確実に抑制することができる。
【００３５】
図５（ａ）は、本発明の実施例に係る積層コンデンサを説明するための斜視図である。なお、図５（ａ）では、内部電極引き出し部を明確にするために、第１，第２の外部電極の図示は省略してある。第１，第２の外部電極は、参考例の場合と同様に、各積層コンデンサユニットにおいて、一方または他方の電位に接続される内部電極の引き出し部に電気的に接続されるように、セラミック焼結体の側面に形成される。
【００３６】
参考例では、各積層コンデンサユニットの一方電位に接続される複数の内部電極の引き出し部が引き出されている側面と、他方電位に接続される複数の内部電極の引き出し部が引き出されている側面とが対向されていたが、本実施例では、１つの積層コンデンサユニットの一方電位に接続される内部電極の引き出し部と、他方電位に接続される内部電極の引き出し部とは、同じ側面に引き出されている。その他の点については、参考例と同様であるため、異なる部分のみを説明することとする。
【００３７】
実施例に係る積層コンデンサでは、セラミック焼結体２２内において、上から順に第１〜第４の積層コンデンサユニットが積層されている。
第１の積層コンデンサユニットでは、図５（ｂ），（ｃ）に示す内部電極２３，２４がセラミック層を介して厚み方向において交互に積層されている。内部電極２３の引き出し部２３ａ及び内部電極２４の引き出し部２４ａは、いずれも、側面２２ｃに引き出されている。もっとも、側面２２ｃ上において、引き出し部２３ａと引き出し部２４ａとは、厚み方向に重なり合わないように、配置されている。
【００３８】
また、第２の積層コンデンサユニットでは、図６（ａ）及び（ｂ）に示す内部電極２５，２６がセラミック層を介して厚み方向において交互に積層されている。内部電極２５，２６は、引き出し部２５ａ，２６ａを有し、引き出し部２５ａ，２６ａは、側面２２ｂに引き出されている。同様に、第３の積層コンデンサユニットでは、図７（ａ）及び（ｂ）に示す内部電極２７，２８が厚み方向において交互に積層されており、かつ内部電極２７，２８の引き出し部２７ａ，２８ａは側面２２ｄに引き出されている。
【００３９】
さらに、図８（ａ），（ｂ）に示すように、第４の積層コンデンサユニットでは、内部電極２９，３９が、厚み方向においてセラミック層を介して交互に積層されており、内部電極２９，３０の引き出し部２９ａ，３０ａは、側面２２ａに引き出されている。
【００４０】
すなわち、本実施例では、１つの積層コンデンサユニットの一方電位に接続される内部電極の引き出し部と、他方電位に接続される内部電極の引き出し部とが、同じ側面に引き出されている。
【００４１】
本実施例の積層コンデンサにおいても、第１の積層コンデンサと同様に、各内部電極が、引き出し部を除いて、周縁にギャップ領域を残すようにほぼ全面電極の形態で形成されているので、大きな静電容量を得ることができ、従って薄型化が可能である。また、ほぼ全面電極の形態で外部電極が形成されているので、焼成に先立ちセラミック積層体を加圧した場合、上面または下面において凹凸が生じ難い。
【００４２】
図９（ａ）は、他の参考例に係る積層コンデンサを説明するための斜視図である。図９（ａ）に示す焼結体３２では、実施例の場合と同様に、各積層コンデンサユニットの第１，第２の外部電極の図示は省略してある。
【００４３】
他の参考例では、前述の参考例と同様に、第１〜第４の積層コンデンサユニットが厚み方向に積層されており、かつ各積層コンデンサユニットの一方電位に接続される内部電極の引き出し部と、他方電位に接続される内部電極の引き出し部が、対向し合う一対の側面３２ａ，３２ｂに形成されている。
【００４４】
すなわち、第１の積層コンデンサユニットでは、内部電極３３，３４が厚み方向においてセラミック層を介して交互に積層されている。内部電極３３の引き出し部３３ａは、側面３２ａに引き出されており、内部電極３４の引き出し部３４ａは、側面３２ｂに引き出されている。また、内部電極３３，３４は、引き出し部３３ａ，３４ａを除いて、周縁にギャップ領域３３ｂ，３４ｂを残すようにほぼ全面電極の形態で形成されている。
【００４５】
第２〜第４の積層コンデンサユニットは、それぞれ、図１０（ａ），（ｂ）、図１１（ａ），（ｂ）及び図１２（ａ）及び（ｂ）に示す各内部電極３５，３６，３７，３８，３９，４０を有する。また、第２の積層コンデンサを構成している内部電極３５，３６の引き出し部３５ａ，３６ａは、図９（ａ）に示されているように、側面３２ａ，３２ｂにそれぞれ引き出されており、但し、引き出し部３３ａ，３４ａとは厚み方向において重なり合わない位置とされている。同様に、第３の積層コンデンサユニットの内部電極３７，３８の引き出し部３７ａ，３８ａもまた、側面３２ａ，３２ｂにそれぞれ引き出されており、第４の積層コンデンサを構成している内部電極３９，４０の引き出し部３９ａ，４０ａも対向し合っている側面３２ａ，３２ｂにそれぞれ引き出されている。
【００４６】
もっとも、他の参考例では、前述の参考例と異なり、第１の積層コンデンサユニットを例にとると、内部電極３３の引き出し部３３ａと、内部電極３４の引き出し部３４ａとは、セラミック焼結体３２を介して対向する位置には形成されていない。すなわち、引き出し部３４ａは、側面３２ｂにおいて、側面３２ｃ側に寄せられて形成されており、引き出し部３３ａは、側面３２ａにおいて、側面３２ｄ側に寄せられて形成されている。
【００４７】
同様に、第２〜第４の各積層コンデンサユニットにおいても、一方電位に接続される内部電極の引き出し部と、他方電位に接続される内部電極の引き出し部とは、セラミック焼結体３２を介して対向する位置には形成されておらず、側面３２ｃ，３２ｄを結ぶ方向においてずらされている。
【００４８】
上記実施例から明らかなように、本発明に係る積層コンデンサにおいて、積層コンデンサユニットを構成している内部電極の引き出し部については、厚み方向において、他の引き出し部と重なり合わない限り、セラミック焼結体の外周側面のいずれの位置に引き出されていてもよい。
【００４９】
【発明の効果】
本発明に係る積層コンデンサでは、複数の積層コンデンサユニットがセラミック焼結体において厚み方向に積層されているので、横方向すなわちセラミック焼結体の厚み方向と直交する方向には複数の積層コンデンサユニットが配置されていない。従って、セラミック焼結体を得るに先立ちセラミック生積層体を例えば静水圧プレスによりプレスしたとしても、セラミック積層体の上面または下面に凹凸が生じ難い。よって、緻密であり、上面及び下面が平坦なセラミック焼結体を得ることができ、積層コンデンサの信頼性を高め得る。
【００５０】
加えて、複数の積層コンデンサユニットが厚み方向に積層されているので、各積層コンデンサユニットの内部電極を、セラミック焼結体のある高さ位置の平面において、大きな面積を占めるように形成することができるので、同じ内部電極積層数であれば、従来の積層コンデンサの積層コンデンサユニットに比べて大きな静電容量を得ることができる。従って、積層コンデンサの小型化及び大容量化を果たし得る。
さらに、一方の電位に接続される内部電極に接続される第１の外部電極と、前記一方の電位に接続される内部電極と対向している他方電位に接続される内部電極に接続される第２の外部電極とが前記セラミック焼結体の同一側面において隣接するように配置されているので、入力側から出力側への電流経路を短くすることができる。
【００５１】
本発明において、各積層コンデンサユニットの複数の内部電極が、セラミック焼結体のある高さ位置の平面において、引き出し部を除いて、周縁にギャップ領域を残すようにほぼ全面電極の形態で形成されている場合には、内部電極面積が非常に大きくなり、従ってより一層小型化及び大容量化を果たすことができる。
【００５２】
【００５３】
【図面の簡単な説明】
【図１】  （ａ）は、本発明の参考例に係る積層コンデンサを示す斜視図、（ｂ）及び（ｃ）は、第１の積層コンデンサユニットの内部電極を示す各模式的斜視図。
【図２】  （ａ）及び（ｂ）は、参考例の積層コンデンサの第２の積層コンデンサユニットの内部電極を示す各模式的斜視図。
【図３】  （ａ）及び（ｂ）は、参考例の積層コンデンサの第３の積層コンデンサユニットの内部電極を示す各模式的斜視図。
【図４】  （ａ）及び（ｂ）は、参考例の積層コンデンサの第４の積層コンデンサユニットの内部電極を示す各模式的斜視図。
【図５】  （ａ）は、実施例に係る積層コンデンサを説明するための斜視図、（ｂ）及び（ｃ）は、第１の積層コンデンサユニットの内部電極を示す模式的斜視図。
【図６】  （ａ）及び（ｂ）は、実施例の積層コンデンサの第２の積層コンデンサユニットの内部電極を示す各斜視図。
【図７】  （ａ）及び（ｂ）は、実施例の積層コンデンサの第３の積層コンデンサユニットの内部電極を示す各斜視図。
【図８】  （ａ）及び（ｂ）は、実施例の積層コンデンサの第４の積層コンデンサユニットの内部電極を示す各斜視図。
【図９】  （ａ）は、本発明の他の参考例に係る積層コンデンサを説明するための斜視図、（ｂ）及び（ｃ）は、第１の積層コンデンサユニットの内部電極を説明するための模式的斜視図。
【図１０】  （ａ）及び（ｂ）は、他の参考例に係る積層コンデンサの第２の積層コンデンサユニットの内部電極を説明するための模式的斜視図。
【図１１】  （ａ）及び（ｂ）は、他の参考例に係る積層コンデンサの第３の積層コンデンサユニットの内部電極を説明するための模式的斜視図。
【図１２】  （ａ）及び（ｂ）は、他の参考例に係る積層コンデンサの第４の積層コンデンサユニットの内部電極を説明するための模式的斜視図。
【図１３】  従来の積層コンデンサの一例を説明するための模式的斜視図。
【図１４】  （ａ）及び（ｂ）は、それぞれ、図１３に示した従来の積層コンデンサの内部電極形状を説明するための各平面図。
【図１５】  従来の積層コンデンサの問題点を説明するための模式的断面図。
【符号の説明】
１…積層コンデンサ
２…セラミック焼結体
２ａ〜２ｄ…側面
３，４…内部電極
３ａ，４ａ…引き出し部
３ｂ，４ｂ…ギャップ領域
５，６…第１，第２の外部電極
７，８…内部電極
７ａ，８ａ…引き出し部
７ｂ，８ｂ…ギャップ領域
９，１０…第１，第２の外部電極
１１，１２…内部電極
１１ａ，１２ａ…引き出し部
１１ｂ，１２ｂ…ギャップ領域
１３，１４…第１，第２の外部電極
１５，１６…内部電極
１５ａ，１６ａ…引き出し部
１５ｂ，１６ｂ…ギャップ領域
１７，１８…第１，第２の外部電極
２２…セラミック焼結体
２２ａ〜２２ｄ…側面
２３〜３０…内部電極
２３ａ〜３０ａ…引き出し部
２３ｂ，２４ｂ…ギャップ領域
３２…セラミック焼結体
３２ａ〜３２ｄ…側面
３３〜４０…内部電極
３３ａ〜４０ａ…引き出し部
【図１】
0004513138.tif 000002
【図２】
0004513138.tif 000003
【図３】
0004513138.tif 000004
【図４】
0004513138.tif 000005
【図５】
0004513138.tif 000006
【図６】
0004513138.tif 000007
【図７】
0004513138.tif 000008
【図８】
0004513138.tif 000009
【図９】
0004513138.tif 000010
【図１０】
0004513138.tif 000011
【図１１】
0004513138.tif 000012
【図１２】
0004513138.tif 000013
【図１３】
0004513138.tif 000014
【図１４】
0004513138.tif 000015
【図１５】
0004513138.tif 000016